(57)【要約】【課題】商品選択後もアルバムとして使用できるカタログギフト式アルバムを提供する。【解決手段】表紙２は、表表紙２ａ、背表紙２ｂ、及び裏表紙２ｃを有している。表紙２に、複数の透明袋体３を綴じる。複数のカタログカード４は、商品Ｃ及びこの商品Ｃに対応する商品番号Ｎが夫々掲載されている。これらのカタログカード４を複数の透明袋体３内に夫々収容する。商品番号Ｎを記載して申し込む申し込み用葉書５を備えさせる。【選択図】　　図１
0003098296.tif 000002
【実用新案登録請求の範囲】
【請求項１】
表表紙、背表紙、及び裏表紙を有する表紙と、
前記表紙に綴じられた複数の透明袋体と、
商品及びこの商品に対応する商品番号が夫々掲載され、前記複数の透明袋体内に夫々取り出し可能に収容された複数のカタログカードと、
所望の商品番号を記載して申し込む申し込み用葉書と、を具備するカタログギフト式アルバム。
【請求項２】
前記表表紙の前面に額が設けられている請求項１に記載のカタログギフト式アルバム。
【請求項３】
前記表紙は、前記背表紙の長手方向を設置面と直交させるように配置した状態で前記設置面に自立可能に形成されている請求項２に記載のカタログギフト式アルバム。
【考案の詳細な説明】
【０００１】
【考案の属する技術分野】
この考案は、ギフトを贈られる受取人がカタログに掲載された複数の商品の中から所望の商品を選ぶ、いわゆるカタログギフトのカタログとして使用されるカタログギフト式アルバムに関する。
【０００２】
【従来の技術】
近年、結婚祝いのお返し等のギフトとして、ギフトを贈る贈与人が商品を選ぶのではなく、ギフトを贈られる受取人がカタログに掲載された複数の商品の中から所望の商品を選ぶ、いわゆるカタログギフトが盛んに用いられるようになってきている。
【０００３】
このカタログギフトとは、以下のような仕組みになっている。ギフト代行店は、複数の商品及びこれらのギフトに対応する商品番号が記載されたカタログを各予算や目的等に応じて複数用意している。また、このカタログには、商品番号を記載してギフト代行店に申し込む申し込み用葉書が添付されている。
【０００４】
贈与人は、予算や目的に応じたカタログを選択するだけでよく、受取人には、前記選択されたカタログが配布される。受取人は、この配布されたカタログに掲載されている複数の商品の中から所望の商品を選択し、選択した商品に対応する商品番号を添付されている申し込み用葉書に記載して、この葉書をギフト代行店に郵送する。ギフト代行店が申し込み用葉書を受領すると、受取人が選択したギフトをこの受取人に送付する。これにより、受取人には、所望の商品が贈られることとなる。
【０００５】
上述のようなカタログギフトで使用されるカタログとしては、従来、複数の商品及びこれらのギフトに対応する商品番号が記載された小冊子（例えば中綴じ本）からなるカタログや、複数の商品及びこれらのギフトに対応する商品番号が夫々記載されたカタログカードを箱に収容してなるカタログ等が知られている。
【０００６】
【考案が解決しようとする課題】
しかしながら、カタログギフトで使用される従来のカタログは、受取人が商品を選択した時点で不要となり破棄されてしまうのが普通である。したがって、受取人は、商品を受け取って期間が経過すると、その商品は誰から贈られた商品か、つまり、誰の結婚式に出席して贈られた物かを忘れてしまうことが多い。
【０００７】
また、カタログギフトでは、紙に印刷されたカタログのみが贈られるため、贈与人の気持ちやあたたかさが受取人に伝わりに難いという問題がある。一方、贈与人が自らのセンスでギフトを選択すると、受取人側としてはせっかく贈与されても不要であるという場合がある。
【０００８】
この考案は、上記のような問題を解決するためになされたものであり、商品選択後もアルバムとして使用できるカタログギフト式アルバムを提供することを目的としたものである。
【０００９】
【課題を解決するための手段】
この考案のカタログギフト式アルバムは、表表紙、背表紙、及び裏表紙を有する表紙と、前記表紙に綴じられた複数の透明袋体と、商品及びこの商品に対応する商品番号が夫々掲載され、前記複数の透明袋体内に夫々取り出し可能に収容された複数のカタログカードと、所望の商品番号を記載して申し込む申し込み用葉書とを具備している。
【００１０】
この考案のカタログギフト式アルバムによれば、商品及びこの商品に対応する商品番号が夫々掲載されてなる複数のカタログカードが、表紙に綴じられた複数の透明袋体内に収容されている。そのため、複数の商品の中から所望の商品を選択する際は、表紙に綴じられた透明袋体をめくることでカタログカードを容易に閲覧することができる。
【００１１】
しかも、商品を選択した後には、透明袋体から各カタログカードを取り出し、この透明袋体に、所望の写真、葉書、年賀状、名刺、カード、或いは、新聞・雑誌の切り抜きスクラップ等を収容させることで通常のアルバム或いはスクラップブックとして使用することができる。
【００１２】
この考案を実施するにあたり、表表紙の前面に額を設けるのが好ましい。このようにすることにより、表表紙の前面にも所望の写真等を収容することができる。
【００１３】
その場合、表紙は、背表紙の長手方向を設置面と直交させるように配置した状態で前記設置面に自立可能に形成するのがさらに好ましい。このようにすることにより、写真立てとしても使用することができる。
【００１４】
【考案の実施の形態】
以下、図１及び図２を参照して、本考案の一実施形態を説明する。
【００１５】
図１及び図２に示すように、カタログギフト式アルバム１は、表紙２、複数の透明袋体３、複数のカタログカード４、及び申し込み用葉書５等を備えている。
【００１６】
表紙２は、表表紙２ａ、背表紙２ｂ、及び裏表紙２ｃを有している。この表紙２は、例えば、表表紙の中芯となる表表紙用厚紙、背表紙の中芯となる背表紙用厚紙、及び裏表紙の中芯となる裏表紙用厚紙を紙又は布等からなる包装部材で包むことにより形成されている（図２参照）。すなわち、本実施形態の表紙２は、いわゆる上製本の表紙２のように形成されている。
【００１７】
また、この表紙２は、表表紙２ａ、背表紙２ｂ、及び裏表紙２ｃにある程度の厚みを持たせるとともに、背表紙２ｂの束にある程度の幅を持たせることにより、図１に示すように、背表紙２ｂの長手方向を設置面Ｆと直交させるように配置した状態で前記設置面Ｆに自立可能となるように形成されている。
【００１８】
また、表表紙２ａの前面には、額６が設けられている。額６は、中央に開口７ａを有する矩形上の枠体７及びこの枠体７が有する開口７ａに対応するように設けられたフィルム状の透明板８を有している。枠体７は、例えば、表紙２を形成した包装部材と同素材の包装部材で枠体の中芯となる枠体用厚紙を包むことにより形成されている。透明板８は、枠体７の表表紙２ａと対向する内面側に接着されている。なお、透明板８は省略してもよい。この額６は、例えば、枠体７の４辺のうちの３辺を表表紙２ａに接着させることで、表紙２に取付けられている。このようにすることにより、枠体７の４辺のうちの接着していない１辺を介して表表紙２ａと額６との間に所望の写真、葉書、或いはカード等を取り出し可能に収容することができる。
【００１９】
上述のように、この表紙２は、背表紙２ｂを設置面Ｆと直交させるように配置した状態で前記設置面Ｆに自立可能に形成されている。そのため、このカタログギフト式アルバム１は、表表紙２ａと額６との間に所望の写真、葉書、或いはカード等を挿入することで、写真立てとなる。
【００２０】
また、裏表紙２ｃの背面には、贈った人の名前を印刷したりしてもよく、結婚祝いのお返しの場合には、新郎新婦の名前や結婚式の日時・場所等を印刷したりしてもよい。
【００２１】
図２に示すように、各透明袋体３は、矩形状に形成されており、少なくとも一部が開放している状態で表紙２の内側に綴じられている。透明袋体３の開放部分は、カタログカード４の挿入及び取り出しを行う部分となる。
【００２２】
なお、透明袋体３の開放部分は、表紙との綴じ部分に形成することはできない。また、透明袋体３の開放部分を下辺に形成すると、カタログカード４が不用意に落下するおそれがあるため、したがって、透明袋体３の開放部分は、表紙との綴じ部分と対向する側辺又は上辺に形成するとよい。本実施形態では、各透明袋体３の開放部分を上辺に形成している。
【００２３】
このような透明袋体３は、例えば、矩形状に形成された一対の透明シートの上辺を除く３辺を熱圧着することにより形成することができる。なお、透明袋体３としては、例えば、一対の透明シートの間に不織布等の不透明シートを挟み込んだ状態で３辺を熱圧着してなるものを採用してもよい。表紙２に綴じる透明袋体３の数は任意である。
【００２４】
各カタログカード４には、商品Ｃ（商品の写真、絵、或いは説明など）及びこの商品Ｃに対応する商品番号Ｎが夫々掲載されている。図２に示すように、各カタログカード４は、夫々透明袋体３内に収容されている。カタログカード４は、透明袋体３の開放している上辺側から夫々取り出し可能である。カタログカード４の枚数は、掲載する商品Ｃの数により決定すればよい。
【００２５】
なお、一対の透明シートの間に不織布等の不透明シートを挟み込んでなるような透明袋体３を使用する場合には、カタログカード４の片面に商品Ｃ及び商品番号Ｎを掲載し、１つの透明袋体３の一方の透明シートと不透明シートとの間及び他方の透明シートと不透明シートとの間に２枚のカタログカード４を収容させるようにするとよい。
【００２６】
また、一対の透明シートを圧着してなるような透明袋体３を使用するような場合には、カタログカード４の両面に商品Ｃ及び商品番号Ｎを掲載し、１つの透明袋体３に１枚のカタログカード４を収容させるようにするとよい。なお、カタログカード４の片面に商品Ｃ及び商品番号Ｎを掲載し、２枚のカタログカード４を掲載面が外側に向くように外表で重ね合わせた状態で１つの透明袋体３に２枚のカタログカード４を収容させるようにしてもよい。
【００２７】
図２に示すように、最も裏表紙２ｃ側の透明袋体３と裏表紙２ｃの内面との間には、所望の商品番号Ｎを記載して申し込む申し込み用葉書５が挟み込まれている。なお、申し込み用葉書５は、最も表表紙２ａ側の透明袋体３と表表紙２ａの内面との間に挟み込んでもよく、また、複数の透明袋体３のうちのいずれかに収容してもよい。
【００２８】
このカタログギフト式アルバム１は、以下のようにして使用する。
【００２９】
複数の商品Ｃの中から所望の商品Ｃを選択する際は、表紙２に綴じられた透明袋体３をめくって各カタログカード４を閲覧する。すなわち、この状態ではカタログとして機能する。商品Ｃを選択したら、選択した商品Ｃに対応する商品番号Ｎを添付されている申し込み用葉書５に記載して申し込む。
【００３０】
商品Ｃ選択後は、カタログカード４を透明袋体３から取り出して破棄し、この透明袋体３に、所望の写真、葉書、年賀状、名刺、カード、或いは、新聞・雑誌の切り抜きスクラップ等を収容させることで通常のアルバム或いはスクラップブックとして使用する。或いは、表表紙２ａと額６との間に所望の写真等を差込んで写真立てとして使用する。
【００３１】
また、結婚祝いのお返しの場合には、裏表紙２ｃの背面に、新郎新婦の名前や結婚式の日時・場所等を印刷しておくと、上述のようにカタログカード４を破棄した後でも、そのカタログギフト式アルバム１を見れば誰の結婚祝いのお返しに贈られたものであるかがすぐにわかる。したがって、贈られた商品Ｃだけでなく、カタログギフト式アルバム１自体も記念の品となる。
【００３２】
以上のように、この実施形態によれば、商品Ｃ及びこの商品Ｃに対応する商品番号Ｎが夫々掲載されてなる複数のカタログカード４が、表紙２に綴じられた複数の透明袋体３内に収容されている。そのため、複数の商品Ｃの中から所望の商品Ｃを選択する際は、カタログとして使用できる。しかも、商品Ｃを選択した後には、透明袋体３から各カタログカード４を取り出し、この透明袋体３に、所望の写真、葉書、年賀状、名刺、カード、或いは、新聞・雑誌の切り抜きスクラップ等を収容させることで通常のアルバム或いはスクラップブックとして使用することができる。
【００３３】
さらに、本実施形態によれば、カタログギフト式アルバム１の形状、色、印刷する言葉等に贈与人のセンスを生かすことができるため、贈与人の気持ちやあたたかさが受取人により伝わり易い。しかも、受取人側としては、所望の商品Ｃを受け取ることができる。
【００３４】
また、この実施形態によれば、表表紙２ａの前面に額６を設けているので、表表紙２ａの前面にも所望の写真等等を収容することができる。しかも、表紙２が、背表紙２ｂの長手方向を設置面Ｆと直交させるように配置した状態で前記設置面Ｆに自立するように形成されているので、写真立てとしても使用することができる。
【００３５】
本考案のカタログギフト式アルバム１は、カタログギフトのカタログとして使用できるのはもちろんのこと、例えば、通信販売等のカタログとしても利用することができる。
【００３６】
【考案の効果】
この考案によれば、商品選択後もアルバムとして使用できるカタログギフト式アルバムが得られる。
【図面の簡単な説明】
【図１】本考案の一実施形態を示すカタログギフト式アルバムを示す斜視図。
【図２】前記カタログギフト式アルバムを開いた状態で示す斜視図。
【符号の説明】
１…カタログギフト式アルバム、　２…表紙、　２ａ…表表紙、　２ｂ…背表紙、　２ｃ…裏表紙、　３…透明袋体、　４…カタログカード、　５…申し込み用葉書、　６…額、　Ｆ…設置面、　Ｃ…商品、　Ｎ…商品番号
【図１】
0003098296.tif 000003
【図２】
0003098296.tif 000004